(57)【要約】【課題】  電源装置に内蔵されている降圧チョッパー回路が破損すると、連動してインバータ回路も破損する。【解決手段】  電源回路と、直流電源回路の出力を降圧する降圧チョッパー回路と、降圧電圧を高周波交流電圧に変換するインバータ回路と、インバータ回路の出力を負荷に適した電圧に変換する主変圧器と、主変圧器の出力を整流する２次整流回路と、整流された出力を平滑する直流リアクトルと、第１スイッチ素子及びインバータ回路を制御する主制御回路と、を備え、第１スイッチ素子とリアクトルと間に第２スイッチ素子を配置し、第１スイッチ素子の遮断時、又は第２スイッチ素子の遮断時の入出力間電圧値が、電圧基準値以下になると降圧監視信号を出力する降圧監視回路を設け、主制御回路は、降圧監視信号に応じて第１及び第２スイッチ素子を遮断する、ことを特徴とする電源装置。【選択図】  図１
2015231292.tif 000002
【特許請求の範囲】
【請求項１】
商用交流電源を整流・平滑して直流電圧にする直流電源回路と、前記直流電源回路の出力側の一方に第１のスイッチング素子とリアクトルとを直列に配置し前記リアクトルの出力側と前記直流電源回路の出力側の他方との間に配置する第３の平滑コンデンサとで形成される降圧チョッパー回路と、前記降圧チョッパー回路からの降圧電圧を高周波交流電圧に変換するインバータ回路と、前記インバータ回路の出力を負荷に適した高周波交流電圧に変換する主変圧器と、前記主変圧器の出力を整流する２次整流回路と、前記整流された出力を平滑する直流リアクトルと、前記第１のスイッチング素子及び前記インバータ回路を制御する主制御回路と、を備えた電源装置において、前記第１のスイッチング素子と前記リアクトルと間に第２のスイッチング素子を配置し、前記第１のスイッチング素子の遮断時、または前記第２のスイッチング素子の遮断時の入出力間電圧値が、予め定めた電圧基準値以下になると降圧監視信号を出力する降圧監視回路を設け、
前記主制御回路は、前記降圧監視信号に応じて前記第１のスイッチング素子及び前記第２のスイッチング素子を遮断する、ことを特徴とする電源装置。
【請求項２】
前記第１のスイッチング素子と並列に第１の電圧検出回路を設け、並びに、前記第２スイッチング素子と並列に第２の電圧検出回路を設け、
前記降圧監視回路は、前記第１の電圧検出回路により検出される第１の電圧検出値、または、前記第２の電圧検出回路により検出される第２の電圧検出値のどちらか一方が前記電圧基準値以下になると降圧監視信号を出力する、ことを特徴とする請求項１に記載の電源装置。
【請求項３】
前記降圧監視回路は、前記第１の電圧検出回路により検出される第１の電圧検出値の値が前記電圧基準値以下になると第１の降圧監視信号を出力し、前記第２の電圧検出回路により検出される第２の電圧検出値の値が前記電圧基準値以下になると第２の降圧監視信号を出力し、前記主制御回路は、前記第１の降圧監視信号に応じて前記第１のスイッチング素子を遮断し、前記第２の降圧監視信号に応じて前記第２のスイッチング素子を遮断する、ことを特徴とする請求項２に記載の電源装置。
【請求項４】
請求項１〜３いずれか１項に記載の電源装置を用い、被加工物のアーク加工を行うアーク加工用電圧を生成するように構成される、ことを特徴とするアーク加工用電源装置。
【発明の詳細な説明】
【技術分野】
【０００１】
本発明は、交流電源を直流電圧に変換する直流電源回路と、その直流電圧を所定の電圧に降圧する降圧チョッパー回路と、を備えた電源装置に関するものである。
【背景技術】
【０００２】
アーク加工に使用する電源装置では、商用電源（三相交流電源）を整流回路にて整流し平滑コンデンサにて平滑化して直流電圧に変換する直流電源回路とスイッチング素子でブリッジを形成するインバータ回路との間に、直流電圧をインバータ回路の入力に適合した入力電圧に降圧する降圧チョッパー回路が設けられている。
【０００３】
図５は、アーク加工に使用する従来技術の電源装置の電気接続図であり、直流電源回路、降圧チョッパー回路、インバータ回路ＩＮＶ、主変圧器ＩＮＴ、２次整流回路ＤＲ２及び直流リアクトルＤＣＬで形成される。同図において、直流電源回路は、整流回路ＤＲ１、第１の平滑コンデンサＣ１、第２の平滑コンデンサＣ２、第１の抵抗器Ｒ１及び第２の抵抗器Ｒ２で形成される。
【０００４】
図５に示す降圧チョッパー回路は、第１のスイッチング素子ＴＲ１、リアクトルＤＬ及び第３の平滑コンデンサＣ３で形成され、第１のスイッチング素子ＴＲ１のオンヂューテイに基づいて直流電源回路からの直流電圧を所定の電圧に降圧する。電圧検出回路ＩＶは、降圧チョッパー回路から出力される降圧電圧を検出し降圧電圧信号Ｉｖとして出力する。
【０００５】
インバータ回路ＩＮＶは、降圧チョッパー回路からの降圧電圧を高周波交流電圧に変換し、主変圧器ＩＮＴは、高周波交流電圧をアーク加工に適した高周波交流電圧に変換し、２次整流回路ＤＲ２及び直流リアクトルＤＣＬを介して整流・平滑されトーチＴＨと被加工物Ｍとの間に電力を供給する。
【０００６】
主制御回路ＳＣは、出力電流検出回路ＩＤからの出力電流検出信号Ｉｄの値が予め定めた電流設定値になるようにインバータ回路ＩＮＶを制御する、と共に降圧電圧が予め定めた電圧設定値になるように降圧チョッパー回路を制御する。
【０００７】
図５に示す降圧チョッパー回路を形成する第１のスイッチング素子ＴＲ１が、何らかの原因で短絡破壊が生じると、降圧チョッパー回路からの降圧電圧が上昇し、第３の平滑コンデンサＣ３及びインバータ回路を形成する各スイッチング素子の入力電圧の最大入力電圧規格を超えてしまい破壊を招く。
【０００８】
上記対策として、従来では第３の平滑コンデンサＣ３及びインバータ回路ＩＮＶを入力過電圧から生じる破壊を防止するために、図５に示す保護ヒューズＦ１と第２のスイッチング素子ＴＲ２とを設け、主制御回路ＳＣは、降圧チョッパー回路からの降圧電圧が所定電圧を超えたとき第２のスイッチング素子ＴＲ２を導通させて、保護ヒューズＦ１、第１のスイッチング素子ＴＲ１及び第２のスイッチング素子ＴＲ２により短絡電流ループを形成させ、保護ヒューズＦ１を短絡電流ループにより溶断させて第３の平滑コンデンサＣ３及びインバータ回路ＩＮＶを形成する各スイッチング素子に入力過電圧が印加されるのを防止していた。特許文献１に、上述の保護技術が開示されている。
【先行技術文献】
【特許文献】
【０００９】
【特許文献１】特開平９−２４７９２７号公報
【発明の概要】
【発明が解決しようとする課題】
【００１０】
図５に示す第２のスイッチング素子（バイポーラ・トランジスタ、ＩＧＢＴ、ＭＯＳＦＥＴ等）には、短絡耐量に限界があり、短絡電流が所定時間を超えて流れると開放破壊を招く。このとき、第２のスイッチング素子が開放破壊する前に保護ヒューズが溶断しないと第３の平滑コンデンサＣ３及びインバータ回路を形成する各スイッチング素子に入力過電圧が印加されて破壊する。そして、保護ヒューズの短絡電流ループによる溶断時間には部品バラッキがあり、第２のスイッチング素子の開放破壊の前に保護ヒューズが溶断しないときが多々ある。
そこで、本発明では、上記の課題を解決する電源装置を供給することを目的とする。
【課題を解決するための手段】
【００１１】
上述した課題を解決するために、請求項１記載の発明は、商用交流電源を整流・平滑して直流電圧にする直流電源回路と、前記直流電源回路の出力側の一方に第１のスイッチング素子とリアクトルとを直列に配置し前記リアクトルの出力側と前記直流電源回路の出力側の他方との間に配置する第３の平滑コンデンサとで形成される降圧チョッパー回路と、前記降圧チョッパー回路からの降圧電圧を高周波交流電圧に変換するインバータ回路と、前記インバータ回路の出力を負荷に適した高周波交流電圧に変換する主変圧器と、前記主変圧器の出力を整流する２次整流回路と、前記整流された出力を平滑する直流リアクトルと、前記第１のスイッチング素子及び前記インバータ回路を制御する主制御回路と、を備えた電源装置において、前記第１のスイッチング素子と前記リアクトルと間に第２のスイッチング素子を配置し、前記第１のスイッチング素子の遮断時、または前記第２のスイッチング素子の遮断時の入出力間電圧値が、予め定めた電圧基準値以下になると降圧監視信号を出力する降圧監視回路を設け、前記主制御回路は、前記降圧監視信号に応じて前記第１のスイッチング素子及び前記第２のスイッチング素子を遮断する、こと特徴とする電源装置である。
【００１２】
請求項２記載の発明は、前記第１のスイッチング素子と並列に第１の電圧検出回路を設け、並びに、前記第２スイッチング素子と並列に第２の電圧検出回路を設け、前記降圧監視回路は、前記第１の電圧検出回路により検出される第１の電圧検出値、または、前記第２の電圧検出回路により検出される第２の電圧検出値のどちらか一方が前記電圧基準値以下になると降圧監視信号を出力する、ことを特徴とする請求項１に記載の電源装置である。
【００１３】
請求項３記載の発明は、前記降圧監視回路は、前記第１の電圧検出回路により検出される第１の電圧検出値の値が前記電圧基準値以下になると第１の降圧監視信号し、前記第２の電圧検出回路により検出される第２の電圧検出値の値が前記電圧基準値以下になると第２の降圧監視信号を出力し、前記主制御回路は、前記第１の降圧監視信号に応じて前記第１のスイッチング素子を遮断し、前記第２の降圧監視信号に応じて前記第２のスイッチング素子を遮断する、ことを特徴とする請求項２に記載の電源装置である。
【００１４】
請求項４記載の発明は、請求項１〜３いずれか１項に記載の電源装置を用い、被加工物のアーク加工を行うアーク加工用電圧を生成するように構成される、ことを特徴とするアーク加工用電源装置である。
【発明の効果】
【００１５】
本発明では、降圧チョッパー回路を形成する第１のスイッチング素子又は第２のスイッチング素子のどちらか一方に異常が発生したとき、正常のスイッチング素子を遮断するので、第３の平滑コンデンサ、インバータ回路を形成する各スイッチング素子に降圧チョッパー回路から過電圧が印加することが抑制でき破壊を防止できる。
【図面の簡単な説明】
【００１６】
【図１】本発明の実施形態に係る電源装置の電気接続図である。
【図２】実施形態の降圧監視回路の詳細図である。
【図３】実施形態の動作を説明する第１の波形図である。
【図４】実施形態の動作を説明する第２の波形図である。
【図５】従来技術の電源装置の電気接続図である。
【発明を実施するための形態】
【００１７】
図１〜図４を参照して本発明の実施形態の動作について説明する。
図１は、本発明の実施形態に係る電源装置（例えば、アーク加工用電源装置）の電気接続図である。同図において、図５に示す従来技術の電源装置の電気接続図と同一符号の構成物は、同一動作を行うので説明は省略し、符号の相違する構成物についてのみ説明する。
【００１８】
図１に示す降圧チョッパー回路は、第１のスイッチング素子ＴＲ１、第２のスイッチング素子ＴＲ２、リアクトルＤＬ及び第３の平滑コンデンサＣ３で形成され、第１のスイッチング素子ＴＲ１及び第２のスイッチング素子ＴＲ１のオンヂューテイに基づいて直流電源回路からの直流電圧を所定の電圧に降圧する。また、第１の電圧検出回路ＩＶ１は、第１のスイッチング素子ＴＲ１の入出力間（Ｃ―Ｅ）電圧を検出し、第２の電圧検出回路ＩＶ２は、第２のスイッチング素子ＴＲ２の入出力間（Ｃ―Ｅ）電圧を検出する。
【００１９】
図１に示す主制御回路ＳＣは、出力電流検出回路ＩＤからの出力電流検出信号Ｉｄの値が予め定めた電流設定値になるようにインバータ回路ＩＮＶを制御し、降圧チョッパー回路の出力電圧の値が予め定めた電圧設定値になるように降圧チョッパー回路を制御する。また、主制御回路ＳＣは、降圧監視信号Ｉｇに応じて第１のスイッチング素子ＴＲ１及び前記第２のスイッチング素子ＴＲ２を遮断する。このとき、インバータ回路ＩＮＶの動作を停止してもよい。
【００２０】
図２は降圧監視回路ＩＧの詳細図であり、
第１の比較回路ＣＰ１、第１の電圧基準設定回路ＶＲＥＦ１、第２の比較回路ＣＰ２、第２の電圧基準設定回路ＶＲＥＦ２、第１の降圧判別回路ＩＫ１、第２の降圧判別回路ＩＫ２及びオア論理回路ＯＲとで形成し、第１の比較回路ＣＰ１は、第１の電圧検出信号Ｉｖ１の値が予め定めた第１の電圧基準値Ｖｒｆ１以下になると、第１の比較信号Ｃｐ１をＬｏｗレベルにする。また、第２の比較回路ＣＰ２は、第２の電圧検出信号Ｉｖ２の値が予め定めた第２の電圧基準値Ｖｒｆ２以下になると、第２の比較信号Ｃｐ２をＬｏｗレベルにする。
【００２１】
第１の降圧判別回路ＩＫ１は、降圧駆動信号ＩｓがＨｉｇｈレベルのとき動作を行い、第１のスイッチング駆動信号Ｔｒ１がＬｏｗレベルのときに、第１の比較信号Ｃｐ１がＬｏｗレベルになると第１の降圧判別信号Ｉｋ１をＨｉｇｈレベルにして出力する。第２の降圧判別回路ＩＫ２は、降圧駆動信号ＩｓがＨｉｇｈレベルのとき動作を行い、第２のスイッチング駆動信号Ｔｒ２がＬｏｗレベルのときに、第２の比較信号Ｃｐ２がＬｏｗレベルになると第２の降圧判別信号Ｉｋ２をＨｉｇｈレベルにして出力する。オア論理回路ＯＲは、第１の降圧判別信号Ｉｋ１と第２の降圧判別信号Ｉｋ２とオア論理を行い降圧監視信号Ｉｇとして出力する。
【００２２】
実施形態１
図３は、第１のスイッチング素子ＴＲ１が短絡破壊したときの保護動作を説明する波形図である。図３において、図３（Ａ）は、第１の電圧検出信号Ｉｖ１を示し、同図（Ｂ）は、第２の電圧検出信号Ｉｖ２を示し、同図（Ｃ）は、第１のスイッチング駆動信号Ｔｒ１を示し、同図（Ｄ）は、第２のスイッチング駆動信号Ｔｒ２を示し、同図（Ｅ）は、降圧駆動信号Ｉｓを示し、同図（Ｆ）は、第１の比較信号Ｃｐ１を示し、同図（Ｇ）は、第１の第１の降圧判別信号Ｉｋ１を示し、同図（Ｈ）は、第２の比較信号Ｃｐ２を示し、同図（Ｉ）は、第２の降圧判別信号Ｉｋ２を示し、同図（Ｊ）は、降圧監視信号Ｉｇを示す。
【００２３】
つぎに、図１〜図３を参照して動作について説明する。
図示省略の起動信号が時刻ｔ＝ｔ０において、図１に示す主制御回路ＳＣに入力されると、主制御回路ＳＣは、インバータ回路ＩＮＶ、および降圧チョッパー回路の制御を開始する、と共に図３（Ｅ）に示す降圧駆動信号ＩｓをＨｉｇｈレベルにする。そして、降圧監視回路ＩＧは、降圧駆動信号ＩｓのＨｉｇｈレベルに応じて動作を開始する。
【００２４】
時刻ｔ＝ｔ０〜ｔ１の期間は、主制御回路ＳＣは、出力電流検出信号Ｉｄの値が予め定めた電流設定値になるようにインバータ回路ＩＮＶを制御する。そして、時刻ｔ＝ｔ２において、降圧チョッパー回路を形成する、例えば、第１のスイッチング素子ＴＲ１が何らかの原因で短絡破壊が生じると、第１の電圧検出回路ＩＶ１で検出した図３（Ａ）に示す第１の電圧検出信号Ｉｖ１の値が減少する。
【００２５】
時刻ｔ＝ｔ３において、第１の電圧検出信号Ｉｖ１の値が減少し、予め定めた電圧基準値Ｖｒｅｆ以下になると、図２に示す第１の比較器ＣＰ１は、図３（Ｆ）に示す第１の比較信号Ｃｐ１をＬｏｗレベルにする。第１の降圧判別回路ＩＫ１は、降圧駆動信号ＩｓがＨｉｇｈレベルのとき動作を行い、図３（Ｃ）に示す第１のスイッチング駆動信号Ｔｒ１がＬｏｗレベルの期間中に、第１の比較信号Ｃｐ１がＨｉｇｈからＬｏｗレベルに変化すると第１の降圧判別信号Ｉｋ１をＨｉｇｈレベルにして出力する。
【００２６】
図２に示すオア論理回路ＯＲは、図３（Ｇ）に示す第１の降圧判別信号Ｉｋ１と図３（Ｉ）に示す第２の降圧判別信号Ｉｋ２とのオア論理を行い、図３（Ｊ）は、降圧監視信号Ｉｇとして出力する。
【００２７】
主制御回路ＳＣは、第１のスイッチング駆動信号Ｔｒ１のＬｏｗレベルの期間中に、降圧監視信号ＩｇがＨｉｇｈレベルになると、第１のスイッチング素子ＴＲ１が何らかの原因で短絡破壊が生じたと判別し、第１のスイッチング駆動信号Ｔｒ１及び第２のスイッチング駆動信号Ｔｒ２をＬｏｗレベルにして第１のスイッチング素子ＴＲ１及び第２のスイッチング素子ＴＲ２を遮断する。
【００２８】
主制御回路ＳＣは、時刻ｔ＝ｔ４において、図示省略の起動信号の入力が停止するとインバータ回路ＩＮＶの制御を停止し、図３（Ｅ）に示す降圧駆動信号ＩｓをＨｉｇｈレベルからＬＯＷレベルになり、降圧チョッパー回路の監視動作も停止する。
【００２９】
図４は、降圧チョッパー回路を形成する、第２のスイッチング素子ＴＲ２が短絡破壊したときの保護動作を説明する波形図である。
図４において、図４（Ａ）は、第１の電圧検出信号Ｉｖ１を示し、同図（Ｂ）は、第２の電圧検出信号Ｉｖ２を示し、同図（Ｃ）は、第１のスイッチング駆動信号Ｔｒ１を示し、同図（Ｄ）は、第２のスイッチング駆動信号Ｔｒ２を示し、同図（Ｅ）は、降圧駆動信号Ｉｓを示し、同図（Ｆ）は、第１の比較信号Ｃｐ１を示し、同図（Ｇ）は、第１の第１の降圧判別信号Ｉｋ１を示し、同図（Ｈ）は、第２の比較信号Ｃｐ２を示し、同図（Ｉ）は、第２の降圧判別信号Ｉｋ２を示し、同図（Ｊ）は、降圧監視信号Ｉｇを示す。
【００３０】
つぎに、図１、図２及び図４を参照して動作について説明する。
時刻ｔ＝ｔ２において、降圧チョッパー回路を形成する、例えば、第２のスイッチング素子ＴＲ２が何らかの原因で短絡破壊が生じると、第２の電圧検出回路ＩＶ２で検出した図４（Ｂ）に示す第２の電圧検出信号Ｉｖ２の値が減少する。
【００３１】
時刻ｔ＝ｔ３において、第２の電圧検出信号Ｉｖ２の値が減少し、電圧基準値Ｖｒｅｆ以下になると、図２に示す第２の比較器ＣＰ２は、図４（Ｈ）に示す第２の比較信号Ｃｐ２をＬｏｗレベルにする。第２の降圧判別回路ＩＫ２は、降圧駆動信号ＩｓがＨｉｇｈレベルのとき動作を行い、図４（Ｄ）に示す第２のスイッチング駆動信号Ｔｒ２がＬｏｗレベルの期間中に、第２の比較信号Ｃｐ２がＨｉｇｈからＬｏｗレベルに変化すると第２の降圧判別信号Ｉｋ２をＨｉｇｈレベルにして出力する。
【００３２】
図２に示すオア論理回路ＯＲは、図４（Ｇ）に示す第１の降圧判別信号Ｉｋ１と図４（Ｉ）に示す第２の降圧判別信号Ｉｋ２とのオア論理を行い、図４（Ｊ）は、降圧監視信号Ｉｇとして出力する。
【００３３】
主制御回路ＳＣは、第２のスイッチング駆動信号Ｔｒ２のＬｏｗレベルの期間中に、降圧監視信号ＩｇがＨｉｇｈレベルになると、第２のスイッチング素子ＴＲ２が何らかの原因で短絡破壊が生じたと判別し、第１のスイッチング駆動信号Ｔｒ１及び第２のスイッチング駆動信号Ｔｒ２をＬｏｗレベルにして第１のスイッチング素子ＴＲ１及び第２のスイッチング素子ＴＲ２を遮断する。
【００３４】
主制御回路ＳＣは、時刻ｔ＝ｔ４において、図示省略の起動信号の入力が停止するとインバータ回路ＩＮＶの制御を停止し、図４（Ｅ）に示す降圧駆動信号ＩｓをＨｉｇｈレベルからＬＯＷレベルになり、降圧チョッパー回路の監視動作も停止する。
【００３５】
上述より、降圧チョッパー回路を形成する第１のスイッチング素子ＴＲ１又は第２のスイッチング素子ＴＲ２のどちらかが短絡破壊が生じたとき、２つのスイッチング素子を同時に遮断するので、第３の平滑コンデンサＣ３及びインバータ回路ＩＮＶを形成する各スイッチング素子の入力電圧が最大定格を超えることが抑制でき、過電圧の印加による破壊を防止できる。
【００３６】
実施形態２
つぎに、実施形態２の動作について、図１〜図３を参照して説明する。
実施形態２の降圧監視回路ＩＧは、図２に示す第１の比較回路ＣＰ１、第１の電圧基準設定回路ＶＲＥＦ１、第２の比較回路ＣＰ２、第２の電圧基準設定回路ＶＲＥＦ２、第１の降圧判別回路ＩＫ１及び第２の降圧判別回路ＩＫ２で形成し、第１の降圧判別回路ＩＫ１は、降圧駆動信号ＩｓがＨｉｇｈレベルのとき動作を行い、第１のスイッチング駆動信号Ｔｒ１がＬｏｗレベルのときに、第１の比較信号Ｃｐ１がＬｏｗレベルになると第１の降圧判別信号Ｉｋ１をＨｉｇｈレベルにし、点線に示す第１の降圧監視信号Ｉｇ１として出力する。
【００３７】
第２の降圧判別回路ＩＫ２は、降圧駆動信号ＩｓがＨｉｇｈレベルのとき動作を行い、第２のスイッチング駆動信号Ｔｒ２がＬｏｗレベルのときに、第２の比較信号Ｃｐ２がＬｏｗレベルになると第２の降圧判別信号Ｉｋ２をＨｉｇｈレベルにし、点線に示す第２の降圧監視信号Ｉｇ２として出力する。
【００３８】
つぎに、図１〜図３を参照して動作について説明する。
図３（Ａ）に示す時刻ｔ＝ｔ２において、降圧チョッパー回路を形成する、例えば、第１のスイッチング素子ＴＲ１が何らかの原因で短絡破壊が生じると、第１の電圧検出回路ＩＶ１で検出した図３（Ａ）に示す第１の電圧検出信号Ｉｖ１の値が減少する。
【００３９】
時刻ｔ＝ｔ３において、第１の電圧検出信号Ｉｖ１の値が減少し、予め定めた電圧基準値Ｖｒｅｆ以下になると、図２に示す第１の比較回路ＣＰ１は、図３（Ｆ）に示す第１の比較信号Ｃｐ１をＬｏｗレベルにする。第１の降圧判別回路ＩＫ１は、降圧駆動信号ＩｓがＨｉｇｈレベルのとき動作を行い、図３（Ｃ）に示す第１のスイッチング駆動信号Ｔｒ１がＬｏｗレベルの期間中に、第１の比較信号Ｃｐ１がＨｉｇｈからＬｏｗレベルに変化すると第１の降圧判別信号Ｉｋ１をＨｉｇｈレベルにし、図２に示す第１の降圧監視信号Ｉｇ１として出力する。
【００４０】
主制御回路ＳＣは、第１のスイッチング駆動信号Ｔｒ１のＬｏｗレベルの期間中に、降圧監視信号Ｉｇ１がＨｉｇｈレベルになると、第１のスイッチング素子ＴＲ１が何らかの原因で短絡破壊が生じたと判別し、第２のスイッチング駆動信号Ｔｒ２をＬｏｗレベルにして第２のスイッチング素子ＴＲ２を遮断する。
【００４１】
上述より、降圧チョッパー回路を形成する第１のスイッチング素子ＴＲ１又は第２のスイッチング素子ＴＲ２のどちらが短絡破壊を生じたか判別し、短絡破壊が生じていないスイッチング素子を遮断することで、第３の平滑コンデンサＣ３及びインバータ回路ＩＮＶを形成する各スイッチング素子の入力電圧が最大定格を超えることが、抑制でき過電圧の印加による破壊を防止できる。
【００４２】
Ｃ１        第１の平滑コンデンサ
Ｃ２        第２の平滑コンデンサ
Ｃ３        第３の平滑コンデンサ
Ｄ１        ダイオード
ＤＲ１      １次整流回路
ＤＬ        リアクトル
ＤＣＬ      直流リアクトル
ＤＲ２      ２次整流回路
Ｆ１        保護ヒューズ
ＩＤ        出力電流検出回路
Ｉｄ        出力電流検出信号
ＩＧ        降圧監視回路
Ｉｇ        降圧監視信号
ＩＮＴ      主変圧器
ＩＮＶ      インバータ回路
ＩＶ１      第１の電圧検出回路
Ｉｖ１      第１の電圧検出信号
ＩＶ２      第２の電圧検出回路
Ｉｖ２      第２の電圧検出信号
Ｍ          被加工物
Ｒ１        第１の抵抗器
Ｒ２        第２の抵抗器
ＳＣ        主制御回路
Ｓｃ        主制御信号
ＴＲ１      第１のスイッチング素子
ＴＲ２      第２のスイッチング素子
ＴＲ３      第３のスイッチング素子
ＴＨ        トーチ
【図１】
2015231292.tif 000003
【図２】
2015231292.tif 000004
【図３】
2015231292.tif 000005
【図４】
2015231292.tif 000006
【図５】
2015231292.tif 000007